(57)【要約】  本発明の実施形態は、ワイヤレス接続状態を自動的に切り替えるために使用されるワイヤレス接続スイッチング方法、ワイヤレス端末、及びそのシステムを開示する。本発明の実施形態の方法は、ワイヤレス端末がワイヤレス端末のベアラデバイスに接続されているかどうかを検出するステップと、ワイヤレス端末が前記ベアラデバイスと接続されているならば、前記ワイヤレス端末と特定の端末との間のワイヤレスデータ接続を切断するステップと、ワイヤレス端末が前記ベアラデバイスと切断されているならば、前記ワイヤレス端末と前記特定の端末との間のワイヤレスデータ接続を確立するステップと、を含む。この方法により、ワイヤレス端末は、ベアラデバイスとの接続の異なるステータスに従って、ワイヤレス接続状態を自動的に切り替えることが実施される。
2016531479.tif 000002
【特許請求の範囲】
【請求項１】
ワイヤレス接続スイッチング方法であって、
ワイヤレス端末がワイヤレス端末のベアラデバイスに接続されているかどうかを検出するステップと、
ワイヤレス端末が、前記ベアラデバイスと接続されていると判別されたならば、前記ワイヤレス端末と特定の端末との間のワイヤレスデータ接続を切断するステップと、
ワイヤレス端末が前記ベアラデバイスと切断されていると判別されたならば、前記ワイヤレス端末と前記特定の端末との間のワイヤレスデータ接続を確立するステップと、
を具備することを特徴とするワイヤレス接続スイッチング方法。
【請求項２】
ワイヤレス端末がベアラデバイスと接続されているかどうかを検出するステップの前に、
前記ワイヤレス端末と前記ベアラデバイスを接続するステップと、前記ワイヤレス端末と前記特定の端末との間のワイヤレスデータ接続を確立するステップと、
をさらに具備することを特徴とする請求項１に記載の方法。
【請求項３】
ワイヤレス端末がワイヤレス端末のベアラデバイスに接続されているかどうかを検出する前記ステップは、
ワイヤレス端末が前記ベアラデバイスと電気的に接続されているかどうかを検出するステップか、又は、
ワイヤレス端末が前記ベアラデバイスとワイヤレスで接続されているかどうかを検出するステップ
を特に具備することを特徴とする請求項１又は２に記載の方法。
【請求項４】
ワイヤレス端末であって、
ワイヤレス端末がワイヤレス端末のベアラデバイスに接続されているかどうかを検出するように構成されている検出モジュールと、
前記検出モジュールが、前記ワイヤレス端末は前記ベアラデバイスと接続されていると判別する場合には、前記ワイヤレス端末と特定の端末との間のワイヤレスデータ接続を切断するように構成されている切断モジュールと、
前記検出モジュールが、前記ワイヤレス端末は前記ベアラデバイスと切断されていると判別する場合には、前記ワイヤレス端末と前記特定の端末との間のワイヤレスデータ接続を確立するように構成されている接続モジュールと、
を具備することを特徴とするワイヤレス端末。
【請求項５】
ワイヤレス端末は、
前記ワイヤレス端末及び前記ベアラデバイスと接続し、前記ワイヤレス端末と前記特定の端末との間のワイヤレスデータ接続を確立するように構成された初期化モジュール
をさらに具備することを特徴とする請求項４に記載のワイヤレス端末。
【請求項６】
前記検出モジュールは、ワイヤレス端末が前記ベアラデバイスと電気的に接続されているかどうかを検出するように特に構成されているか、又は
前記検出モジュールは、ワイヤレス端末が前記ベアラデバイスとワイヤレスで接続されているかどうかを検出するように特に構成されている
ことを特徴とする請求項４又は５に記載のワイヤレス端末。
【請求項７】
ウェアラブルデバイスであって、
請求項４から６のいずれか一項に記載のワイヤレス端末と、前記ワイヤレス端末に分離可能に接続されるベアラデバイスを具備することを特徴とするウェアラブルデバイス。
【請求項８】
ワイヤレス端末であって、
プロセッサ、メモリ、送信器、及びインターフェースを具備し、
前記プロセッサは、データバスを通じて、前記メモリ、前記送信器、及び前記インターフェースと接続されており、
前記プロセッサは、前記メモリ内に格納されているオペレーション命令を呼び出すことにより以下のステップ：
前記プロセッサにより、前記インターフェースが前記ワイヤレス端末のベアラデバイスと接続されているかどうかを検出するステップと、
前記プロセッサが、前記インターフェースは、前記ベアラデバイスに接続されていると判別する場合には、特定の端末からワイヤレスデータ接続を切断するように前記送信器を制御するステップと、
前記プロセッサが、インターフェースは、前記ベアラデバイスから切断されていると判別する場合には、前記特定の端末と前記ワイヤレスデータ接続を確立するように前記送信器を制御するステップと、
を実行するように構成されていることを特徴とするワイヤレス端末。
【請求項９】
前記インターフェースは、物理インターフェース又はワイヤレスインターフェースであることを特徴とする請求項８に記載のワイヤレス端末。
【請求項１０】
前記送信器は、ブルートゥース送信器又はＮＦＣ送信器であることを特徴とする請求項８又は９に記載のワイヤレス端末。
【請求項１１】
ウェアラブルデバイスであって、請求項８から１０のいずれか一項に記載のワイヤレス端末と、前記ワイヤレス端末に分離可能に接続されるベアラデバイスと、を具備することを特徴とするウェアラブルデバイス。
【請求項１２】
データ送信システムであって、請求項８から１０のいずれか一項に記載のワイヤレス端末と、前記ワイヤレス端末に分離可能に接続されているベアラデバイスと、前記ワイヤレス端末との間にワイヤレスデータ接続が確立される特定の端末と、を具備することを特徴とするデータ送信システム。
【発明の詳細な説明】
【技術分野】
【０００１】
本発明は、通信分野に関連し、特に、ワイヤレス接続スイッチング方法、ワイヤレス端末、及びそのシステムに関する。
【背景技術】
【０００２】
無線技術は、電波を使用して信号を送信する技術であり、例えば、ブルートゥースはデバイス間の短距離通信（通常１０ｍ内）をサポートする無線技術である。ワイヤレスでの情報交換は、携帯電話、ＰＤＡ，ワイヤレスヘッドセット、ノートブックコンピュータ、関連する周辺機器などを含む多くのデバイス間で実行され得る。「ブルートゥース」技術を使用することにより、移動体通信端末デバイス間の通信が、効率的に単純化され、またデバイスとインターネット間の通信も、データ送信がより速く効率的にできるように正常に簡略化することができ、ワイヤレス通信への道を開く(pave)。
【０００３】
ワイヤレス端末は、無線技術を使用することにより、他のデバイスとワイヤレスに接続できる。ワイヤレス端末と他のデバイスとの間のワイヤレス接続は、２つのステータスを備えている：１つは接続状態であり、もう一つは切断状態である。ユーザは、ユーザの使用状況に応じて２つの状態を手動で切り替える必要がある。
【０００４】
しかし、実際のアプリケーションにおいては、接続又は切断のそれぞれは、ユーザが手動でワイヤレス接続状態を切り替えることを要求し、ユーザの操作を増加させ、ユーザ経験を減少させる。
【発明の概要】
【課題を解決するための手段】
【０００５】
本発明の実施形態は、ワイヤレス接続状態を自動的に切り替えるために使用されるワイヤレス接続スイッチング方法、ワイヤレス端末、及びそのシステムを提供する。
【０００６】
本発明の実施形態の第１の態様は、ワイヤレス接続スイッチング方法を提供し、
ワイヤレス端末がワイヤレス端末のベアラデバイスに接続されているかどうかを検出するステップと、
ワイヤレス端末が、前記ベアラデバイスと接続されていると判別されたならば、前記ワイヤレス端末と特定の端末との間のワイヤレスデータ接続を切断するステップと、
ワイヤレス端末が前記ベアラデバイスと切断されていると判別されたならば、前記ワイヤレス端末と前記特定の端末との間のワイヤレスデータ接続を確立するステップと、
を含む。
【０００７】
本発明の実施形態の第１の態様に関連し、本発明の実施形態の第１の態様の第１の実施様式において、ワイヤレス端末がベアラデバイスと接続されているかどうかを検出するステップの前に、前記方法は、
前記ワイヤレス端末と前記ベアラデバイスを接続するステップと、前記ワイヤレス端末と前記特定の端末との間のワイヤレスデータ接続を確立するステップと、
をさらに含む。
【０００８】
第１の態様又は、本発明の実施形態の第１の態様の第１の実施様式に関連し、本発明の実施形態の第１の態様の第２の実施様式において、ワイヤレス端末がワイヤレス端末のベアラデバイスに接続されているかどうかを検出する前記ステップは、
ワイヤレス端末が前記ベアラデバイスと電気的に接続されているかどうかを検出するステップか、又は
ワイヤレス端末が前記ベアラデバイスとワイヤレスで接続されているかどうかを検出するステップ
を特に含む。
【０００９】
本発明の実施形態の第２の態様は、ワイヤレス端末を提供し、
ワイヤレス端末がワイヤレス端末のベアラデバイスに接続されているかどうかを検出するように構成されている検出モジュールと、
前記検出モジュールが、ワイヤレス端末は前記ベアラデバイスと接続されていると判別する場合には、前記ワイヤレス端末と特定の端末との間のワイヤレスデータ接続を切断するように構成されている切断モジュールと、
前記検出モジュールが、ワイヤレス端末は前記ベアラデバイスと切断されていると判別する場合には、前記ワイヤレス端末と前記特定の端末との間のワイヤレスデータ接続を確立するように構成されている接続モジュールと、
を含む。
【００１０】
本発明の実施形態の第２の態様に関連し、本発明の実施形態の第２の態様の第１の実施様式において、前記ワイヤレス端末は、
前記ワイヤレス端末及び前記ベアラデバイスと接続し、前記ワイヤレス端末と前記特定の端末との間のワイヤレスデータ接続を確立するように構成されている初期化モジュール
をさらに含む。
【００１１】
第２の態様又は本発明の実施形態の第２の態様の第１の実施様式に関連し、本発明の実施形態の第２の態様の第２の実施様式において、
前記検出モジュールは、ワイヤレス端末が前記ベアラデバイスと電気的に接続されているかどうかを検出するように特に構成されているか、又は
前記検出モジュールは、ワイヤレス端末が前記ベアラデバイスとワイヤレスで接続されているかどうかを検出するように特に構成されている。
【００１２】
本発明の実施形態の第３の態様は、ウェアラブルデバイスを提供し、前記本発明の実施形態の第２の態様から前記第２の態様の第２の実施様式のいずれか１つに記載のワイヤレス端末と、前記ワイヤレス端末に分離可能に接続されているベアラデバイスと、を含む。
【００１３】
本発明の実施形態の第４の態様は、ワイヤレス端末を提供し、
プロセッサ、メモリ、送信器、及びインターフェースを含み、前記プロセッサは、データバスを通じて、前記メモリ、前記送信器、及び前記インターフェースと接続されており、
前記プロセッサは、前記メモリ内に格納されたオペレーション命令を呼び出すことにより以下のステップ：
前記プロセッサにより、前記インターフェースが前記ワイヤレス端末のベアラデバイスと接続されているかどうかを検出するステップと、
前記プロセッサが、前記インターフェースは、前記ベアラデバイスに接続されていると判別する場合には、特定の端末からワイヤレスデータ接続を切断するように前記送信器を制御するステップと、
前記プロセッサが、インターフェースは、前記ベアラデバイスから切断されていると判別する場合には、前記特定の端末と前記ワイヤレスデータ接続を確立するように前記送信器を制御するステップと、
を実行するように構成されている。
【００１４】
本発明の実施形態の第４の態様に関連し、本発明の実施形態の第４の態様の第１の実施様式において、前記インターフェースは、物理インターフェース又はワイヤレスインターフェースである。
【００１５】
本発明の実施形態の第４の態様の第１の実施様式に関連し、本発明の実施形態の第４の態様の第２の実施様式において、前記送信器は、ブルートゥース送信器又はＮＦＣ送信器である。
【００１６】
本発明の実施形態の第５の態様は、ウェアラブルデバイスを提供し、本発明の実施形態の第４の態様から第４の態様の第２の実施様式のいずれか１つに記載のワイヤレス端末と、前記ワイヤレス端末に分離可能に接続されるベアラデバイスと、を含む。
【００１７】
本発明の実施形態の第６の態様は、データ送信システムを提供し、本発明の実施形態の第４の態様から第４の態様の第２の実施様式のいずれか１つに記載のワイヤレス端末と、前記ワイヤレス端末に分離可能に接続されるベアラデバイスと、前記ワイヤレス端末との間にワイヤレスデータ接続が確立される特定の端末と、を含む。
【００１８】
本発明の実施形態は、以下の利点を有していることは、先述の技術的ソリューションから理解することができる。本発明の実施形態において、ワイヤレス端末がワイヤレス端末のベアラデバイスに接続されているかどうかを検出し、前記ワイヤレス端末が前記ベアラデバイスと接続されているならば、前記ワイヤレス端末と特定の端末との間のワイヤレスデータ接続が切断され、前記ワイヤレス端末が前記ベアラデバイスと切断されているならば、前記ワイヤレス端末と前記特定の端末との間のワイヤレスデータ接続を確立する。この方法により、ワイヤレス端末がベアラデバイスへの接続の異なるステータスに従って、ワイヤレス接続状態を自動的に切り替えることが実施され、これによりユーザが実行のために必要とする動作を減少させ、ユーザ経験を改善する。
【図面の簡単な説明】
【００１９】
【図１】図１は、本発明の実施形態によるワイヤレス接続スイッチング方法の概略フローチャートである。
【図２】図２は、本発明の実施形態によるワイヤレス接続スイッチング方法の概略図である。
【図３】図３は、本発明の実施形態によるワイヤレス端末の概略構造図である。
【図４】図４は、本発明の実施形態によるワイヤレス端末の他の概略構造図である。
【図５】図５は、本発明の実施形態によるワイヤレス端末の他の概略構造図である。
【図６】図６は、本発明の実施形態によるウェアラブルデバイスの概略構造図である。
【図７】図７は、本発明の実施形態によるデータ送信システムの概略構造図である。
【図８】図８は、本発明の実施形態によるデータ送信システムのインスタンスの概略構造図である。
【発明を実施するための形態】
【００２０】
本発明の実施形態における添付の図面を参照しながら、本発明の実施形態における技術的解決策について以下で明確かつ完全に説明する。説明する実施形態は、本発明の実施形態のすべてではなく、一部にすぎないことは明らかである。創造的な努力なしに本発明の実施形態に基づいて当業者によって得られるすべての他の実施形態は、本発明の保護範囲内に入るものである。
【００２１】
図１を参照すると、本発明の実施形態におけるワイヤレス接続スイッチング方法の実施形態は、以下のステップを含む。
【００２２】
１０１：ワイヤレス端末がワイヤレス端末のベアラデバイスに接続されているかどうかを検出する。接続されているならば、ステップ１０２が実行され、切断されているならば、ステップ１０３が実行される。
【００２３】
ワイヤレス端末とベアラデバイスを含むワイヤレス端末又はウェアラブルデバイスは、ワイヤレス端末が前記ワイヤレス端末のベアラデバイスと接続されているかどうかを検出し、
ワイヤレス端末は前記ベアラデバイスと接続されている、と判別されたならば、ステップ１０２が実行され、
ワイヤレス端末は前記ベアラデバイスと切断されている、と判別されたならば、ステップ１０３が実行される。
【００２４】
１０２：前記ワイヤレス端末と特定の端末との間のワイヤレスデータ接続を切断する。
【００２５】
ワイヤレス端末は前記ベアラデバイスと接続されている、と判別された場合には、ワイヤレス端末又はウェアラブルデバイスは、前記ワイヤレス端末と前記特定の端末との間のワイヤレスデータ接続を切断し、特定の端末は、ワイヤレス端末へのワイヤレスデータ接続を実行するように指定されている端末を示す。
【００２６】
１０３：前記ワイヤレス端末と前記特定の端末との間のワイヤレスデータ接続を確立する。
【００２７】
ワイヤレス端末は前記ベアラデバイスと切断されている、と判別される場合には、ワイヤレス端末又はウェアラブルデバイスは、前記ワイヤレス端末と前記特定の端末との間のワイヤレスデータ接続を確立する。
【００２８】
本発明のこの実施形態において、ワイヤレス端末がワイヤレス端末のベアラデバイスに接続されているかどうかが検出され、ワイヤレス端末が前記ベアラデバイスと接続されているならば、前記ワイヤレス端末と特定の端末との間のワイヤレスデータ接続が切断され、ワイヤレス端末が前記ベアラデバイスと切断されているならば、前記ワイヤレス端末と前記特定の端末との間のワイヤレスデータ接続が確立される。この方法により、ベアラデバイスへの接続の異なるステータスに従って、ワイヤレス接続状態ワイヤレス端末が自動的に切り替えることが実施され、これによりユーザが実行のために必要とする動作を減少させ、ユーザ経験を改善する。
【００２９】
任意選択で、本発明の他の実施形態のように、実際のアプリケーションにおいて、ワイヤレス端末及び特定の端末が初めて使用されるか又はペアリング接続が確立されていないならば、ワイヤレス端末が前記ワイヤレス端末のベアラデバイスと接続されているかどうかが検出される前に、ワイヤレス端末は、最初にベアラデバイスに接続し得、ワイヤレスデータ接続は、ワイヤレス端末と特定の端末との間で確立される。
【００３０】
先述の実施形態において、ワイヤレス端末又はウェアラブルデバイスは、ワイヤレス端末がベアラデバイスと接続されているかどうかを検出する。検出が、アクティブでもパッシブでもよいことは理解し得る。検出がアクティブ検出の場合には、検出は連続プロセスであってよく、ワイヤレス端末が前記ベアラデバイスと接続されているかどうかが検出され続けるとともに次のステップがトリガされ、また、検出は一定間隔で実行されるように設定することもでき、また、予め設定された条件によりトリガされる場合に検出が実行されるように設定してもよく(例えば、ワイヤレス端末の位置の変化)、本明細書で限定されない、様々な検出トリガ方法がある。任意選択で、ワイヤレス端末とベアラデバイスとの間の接続状態が、最後に検出された接続状態と同じであると検出された場合、例えば、最初に、ワイヤレス端末は前記ベアラデバイスと接続されていると検出されたときに、ステップ１０２が実行され、２度目の検出において、ワイヤレス端末が、前記ベアラデバイスと接続されていると再び検出された場合、次のステップは接続状態が変化したことが検出されるまで実行されなくてもよい。例えば、３度目の検出において、ワイヤレス端末は前記ベアラデバイスと切断されている、と検出された場合には、対応する次のステップ１０３が実行される。検出がパッシブであるならば、すなわち、接続状態が変化したときに接続状態の変化が検出され得る場合、例えば、ワイヤレス端末が前記ベアラデバイスと接続されている場合には、コンタクトがタッチされ、接続が切断されている場合には、コンタクトがリリースされ、続くステップは、接続状態が変化した場合と同様に実行され得る。
【００３１】
実際のアプリケーションにおいて、ワイヤレス端末が、前記ベアラデバイスと接続される種々の様式があり、同様に、ワイヤレス端末が、前記ベアラデバイスと接続されているかどうかを検出するための多くの様式もあり、以下の様式を特に含む：ワイヤレス端末は、電気的にベアラデバイスと接続され得、ワイヤレス端末が、前記ベアラデバイスと接続されているかどうかが、閉回路が形成されているかどうかを検出することにより検出され、例えば、回路が閉じているならば、ワイヤレス端末が、前記ベアラデバイスと接続されていることを示し、回路が遮断されているならば、ワイヤレス端末は、前記ベアラデバイスと切断されていることを示しており、電気的接続様式は、物理的接続も含み、ワイヤレス端末がベアラデバイスと物理的にコンタクトしているかどうかは、コンタクトのステータスを検出することにより検出され、例えば、コンタクトが押下されたならば、ワイヤレス端末は、前記ベアラデバイスと接続されていることを示し、コンタクトが跳ね返った(bounces off)ならば、ワイヤレス端末は、前記ベアラデバイスと切断されていることを示しており、ワイヤレス端末はまた、ベアラデバイスとワイヤレスに接続されてもよく、ワイヤレス端末が前記ベアラデバイスと接続されているかどうかは、ワイヤレス接続の接続状態を検出することにより検出され、他の接続様式及び接続を検出するための対応する様式がさらにあり得、本明細書に限定されるものではない。
【００３２】
ワイヤレス端末は独立して存在しても、又はベアラデバイスとともにウェアラブルデバイスを形成してもよいことは理解し得る。例えば、ワイヤレス端末が物理的コンタクトによって前記ベアラデバイスと接続されている場合、ワイヤレス端末及びベアラデバイスは分離可能に接続され得、ウェアラブルデバイスを形成するが、本明細書に限定されるものではない。加えて、ベアラデバイスの数はただ１つだけでなくてよく、複数の部分を一緒にし、ベアラデバイスを形成してもよく、又は場合によっては、ワイヤレス端末が複数のベアラデバイスと同時に接続される必要がある場合にのみ、ワイヤレス端末がベアラデバイスと接続されていると判別されるが、本明細書に限定されるものではない。
【００３３】
任意選択で、前記ワイヤレス端末と前記特定の端末との間のワイヤレスデータ接続を確立するための多くの様式があり、例えば、接続は、ブルートゥース又はwifiを使用して確立され得、又は赤外線、ＮＦＣ，又はネットワークインターフェースなどのモードにおいて確立されてもよく、本明細書に限定されるものではない。
【００３４】
理解を容易にするために、本発明の実施形態におけるワイヤレス接続状態切り替え方法が具体的なアプリケーションシナリオを使用することにより以下に詳細に説明される。
【００３５】
図２を参照すると、ワイヤレス端末はブルートゥースヘッドセットを備えた端末であり、ベアラデバイスは、リストストラップであり、ワイヤレス端末及びリストストラップは、ウェアラブルデバイスから分離可能に接続されており、特定の端末は、携帯電話であり、ワイヤレス端末は、ブルートゥースＡ２ＤＰプロトコルを使用することにより携帯電話とワイヤレスデータ接続を実行する。
【００３６】
ワイヤレス端末はリストストラップに配置されるとともにコンタクトを通じてリストストラップと接続されている。ウェアラブルデバイスは、ワイヤレス端末とリストストラップが接続状態にあることを検出し、この場合において、ワイヤレス端末と携帯電話との間のブルートゥースＡ２ＤＰ接続は、切断状態である。それより前に、ブルートゥースペアリングがワイヤレス端末と携帯電話との間で実行されている。
【００３７】
ワイヤレス端末がリストストラップから外された場合には、ウェアラブルデバイスは、ワイヤレス端末がリストストラップから切断されたことを検出し、この場合において、ウェアラブルデバイスは、ワイヤレス端末と携帯電話との間のブルートゥース接続を動的に確立する。
【００３８】
ワイヤレス端末がリストストラップに配置されている場合、ウェアラブルデバイスは、ワイヤレス端末がリストストラップに接続されていることを検出し、この場合において、ウェアラブルデバイスはワイヤレス端末と携帯電話との間のブルートゥース接続を動的に切断する。
【００３９】
以下では、本発明の実施形態におけるワイヤレス端末を説明する。図４を参照すると、本発明のこの実施形態によるワイヤレス端末３００の実施形態は、
ワイヤレス端末がワイヤレス端末のベアラデバイスに接続されているかどうかを検出するように構成されている検出モジュール３０１と、
検出モジュール３０１が、ワイヤレス端末は前記ベアラデバイスと接続されている、と判別する場合には、前記ワイヤレス端末と特定の端末との間のワイヤレスデータ接続を切断するように構成されている切断モジュール３０２と、
検出モジュール３０２が、ワイヤレス端末は前記ベアラデバイスと切断されている、と判別する場合には、前記ワイヤレス端末と前記特定の端末との間のワイヤレスデータ接続を確立するように構成されている接続モジュール３０３と、
を含む。
【００４０】
本発明のこの実施形態において、検出ユニット３０１は、ワイヤレス端末がワイヤレス端末のベアラデバイスに接続されているかどうかを検出し、ワイヤレス端末が前記ベアラデバイスと接続されているならば、切断モジュール３０２は、前記ワイヤレス端末と特定の端末との間のワイヤレスデータ接続を切断し、ワイヤレス端末が前記ベアラデバイスと切断されているならば、接続モジュール３０３は、前記ワイヤレス端末と前記特定の端末との間のワイヤレスデータ接続を確立する。この方法により、ワイヤレス端末が、ベアラデバイスへの接続の異なるステータスに従って、ワイヤレス接続状態を自動的に切り替えることが実施され、これによりユーザが実行のために必要とする動作を減少させ、ユーザ経験を改善する。
【００４１】
任意選択で、ワイヤレス端末の他の実施形態のように、図４を参照し、ワイヤレス端末４００は、
ワイヤレス端末とベアラデバイスとを接続し、前記ワイヤレス端末と前記特定の端末との間のワイヤレスデータ接続を確立するように構成されている初期化モジュール４０１をさらに含む。
【００４２】
検出モジュール３０１が実行する前に、次の種々のオペレーションが正確に実行されるように、初期化モジュール４０１は、種々の装置のステータスを初期化するために一度開始され得る。
【００４３】
任意選択で、ワイヤレス端末が、前記ベアラデバイスと接続される多くの様式があり、同様に、検出モジュールが、ワイヤレス端末が前記ベアラデバイスと接続されているかどうかを検出する多くの様式もあり、
検出モジュール３０１は、ワイヤレス端末が前記ベアラデバイスと電気的に接続されているかどうかを検出するように特に構成され得、電気的接続は、物理的コンタクトを含むことは理解され得、
又は、
検出モジュール３０１は、ワイヤレス端末がベアラデバイスと物理的にコンタクトされているかどうかを検出するように特に構成され得る。
【００４４】
先述の実施形態の理解を容易にするために、以下では、特定のアプリケーションシナリオにおけるワイヤレス端末の先述のモジュールの相互作用を説明する。
【００４５】
ワイヤレス端末は、ブルートゥースヘッドセット機能を備えた端末であり、ベアラデバイスは、リストストラップであり、ワイヤレス端末とリストストラップは、ウェアラブルデバイスから分離可能に接続されており、特定の端末は、携帯電話であり、ワイヤレス端末は、ブルートゥースＡ２ＤＰプロトコルを使用することにより、携帯電話とのワイヤレスデータ接続を実行する。
【００４６】
ワイヤレス端末は、リストストラップに配置され、コンタクトを通じてリストストラップと接続されている。初期化モジュール４０１は、ワイヤレス端末とリストストラップとを接続し、ワイヤレス端末と携帯電話との間のワイヤレスデータ接続を確立する。
【００４７】
検出モジュール３０１は、ワイヤレス端末とリストストラップが接続状態にあることを検出し、切断モジュール３０２は、ワイヤレス端末と携帯電話との間のブルートゥース接続を動的に切断する。
【００４８】
ワイヤレス端末がリストストラップから取り外された場合には、検出モジュール３０１は、ワイヤレス端末がリストストラップから切断されたことを検出し、この場合において、接続モジュール３０３は、ワイヤレス端末と携帯電話との間のブルートゥース接続を動的に確立する。
【００４９】
ワイヤレス端末がリストストラップに配置される場合、検出モジュール３０１は、ワイヤレス端末がリストストラップに接続されたことを検出し、この場合において、切断モジュール３０２は、ワイヤレス端末と携帯電話との間のブルートゥース接続を動的に切断する。
【００５０】
以上は、ユニット機能エンティティの観点から本発明のこの実施形態におけるワイヤレス端末を説明したが、以下では、ハードウェア処理の観点から本発明のこの実施形態におけるワイヤレス端末を説明する。図６を参照すると、本発明のこの実施形態におけるワイヤレス端末５００の他の実施形態は、
プロセッサ５０１、メモリ５０２、送信器５０３、及びインターフェース５０４を含み、前記プロセッサは、データバス５０５を通じて、メモリ５０２、送信器５０３、及びインターフェース５０４と接続され、
プロセッサ５０１は、メモリ５０２内に格納されているオペレーション命令を呼び出すことにより以下のステップ：
プロセッサ５０１により、インターフェース５０４がベアラデバイスと接続されているかどうかを検出するステップと、
プロセッサ５０１が、インターフェース５０４はベアラデバイスと接続されている、と判別する場合には、特定の端末からワイヤレスデータ接続を切断するように送信器５０３を制御するステップと、
プロセッサ５０１が、インターフェース５０４はベアラデバイスから切断されている、と判別する場合には、特定の端末とワイヤレスデータ接続を確立するように送信器５０３を制御するステップと、
を実行するように構成されている。
【００５１】
任意選択で、実際のアプリケーションにおいて、インターフェース５０４は、物理インターフェースであっても、ワイヤレスインターフェースであってもよく、本明細書に限定されるものではない。
【００５２】
任意選択で、送信器は、ブルートゥース送信器であり得、又はＮＦＣ送信器であっても、他のワイヤレス送信器であってもよく、本明細書に限定されるものではない。
【００５３】
以下では、本発明の実施形態におけるウェアラブルデバイスを説明する。図６を参照すると、本発明の実施形態におけるウェアラブルデバイス６００は、
図３、図４、又は図５に示されているワイヤレス端末６０１と、ベアラデバイス６０２を含み、
ベアラデバイス６０２は、ワイヤレス端末６０１と分離可能な接続を実行するように構成され得る。
【００５４】
以下では、本発明の実施形態におけるデータ送信システムを説明する。図７を参照すると、本発明のこの実施形態におけるデータ送信システム７００の実施形態は、
図３、図４、又は図６に示されているワイヤレス端末７０１と、ベアラデバイス７０２と、特定の端末７０３と、を含み、
ベアラデバイス７０２は、ワイヤレス端末７０１と分離可能に接続されるように構成されており、
特定の端末７０３は、ワイヤレス端末７０１と、ワイヤレスデータ接続を確立するように構成されている。
【００５５】
図８を参照すると、図８は、本発明の実施形態におけるデータ送信システムの特定のインスタンスを示しており、ウェアラブルデバイスは、ワイヤレス端末として使用されるブルートゥースヘッドセットと、ベアラデバイスとして使用されるリストストラップとを含み、特定の端末は、携帯電話であり、ブルートゥースヘッドセットは、コンタクトを通じてリストストラップと接続されており、ブルートゥースヘッドセットは、ブルートゥースを通じて携帯電話と接続されている。
【００５６】
便利かつ簡単な説明のために、先述のシステム、装置、及びユニットの詳細な作業工程のために、先述の方法の実施形態における対応する処理を参照し、ここでは再び詳細に説明しないことは、当業者は明確に理解し得る。
【００５７】
本出願において提供されるいくつかの実施形態では、開示されたシステム、装置、及び方法は、他の様式においても実施されうることは理解されよう。例えば、先に説明された装置の実施形態は、単なる例示である。例えば、ユニットの区分は単に論理機能区分であるか、又は実際の実装における他の区分でありうる。例えば複数のユニット又構成要素は、他のシステムと組み合わされても、又は統合されてもよく、又はいくつかの特徴は無視又は実行しなくてもよい。加えて、示された又は説明された相互結合又は直接結合又は通信接続は、いくつかのインターフェースを通じて実装されてよい。装置又はユニット間の間接的な結合又は通信接続は、電気的、機械的、又は他の形態で実施されてよい。
【００５８】
個別の部分として説明されたユニットは、物理的に別々であってもなくてもよく、ユニットとして表示された部分は、物理的なユニットであってもなくてもよく、一か所に配置されてもよく、又は複数のネットワークユニット上で分散されてもよい。いくつかの又はすべてのユニットは、実施形態におけるソリューションの目的を達成する実際の必要性に従って選択され得る。
【００５９】
加えて、本発明の実施形態における機能ユニットは、１つの処理ユニットに統合されよいが、各ユニットが物理的に単独で存在しても、又は２以上のユニットが１つのユニットに統合されてもよい。先述した統合されたユニットは、ハードウェアの形式で実装されることができ、又はソフトウェア機能ユニットの形式で実装されてもよい。
【００６０】
統合されたユニットがソフトウェア機能ユニットの形式において実装され、個別の製品として販売又は使用される場合には、統合されたユニットは、コンピュータ可読格納媒体に格納され得る。そのような理解に基づき、本発明の技術的ソリューションの本質的部分、又は従来技術に寄与する部分、又は技術的ソリューションの全部又はいくつかは、ソフトウェア製品の形式において実装され得る。コンピュータソフトウェア製品は格納媒体に格納され、コンピュータデバイス（パーソナルコンピュータ、サーバ、又はネットワークデバイスなどであり得る）に、本発明の実施形態において説明された方法の全て又はいくつかのステップの実行を指示するいくつかの命令を含む。先述の格納媒体は、ＵＳＢフラッシュドライブ、リムーバブルハードディスク、読み取り専用メモリ(ROM, Read-Only memory)、ランダムアクセスメモリ(RAM, Random Access memory)、磁気ディスク、又は光学ディスクなどの、プログラムコードを格納可能な任意の媒体を含む。
【００６１】
上記の実施形態は、単に本発明の技術的ソリューションを説明することを目的としているにすぎず、本発明を限定するものではない。本発明は上記の実施形態を参照しながら詳細に説明されてきたが、先述の実施形態において説明された技術的ソリューションに修正を加えることが可能であり、又はいくつかの技術的特徴に等価な置換をすることが可能であることを当業者は理解し得るが、これらの修正又は置換は、本発明の実施形態の技術的ソリューションの精神及び範囲から逸脱する技術的ソリューションに対応する本質的要素となるものではない。
【符号の説明】
【００６２】
３０１  検出モジュール
３０２  切断モジュール
３０３  接続モジュール
４００  ワイヤレス端末
４０１  初期化モジュール
５００  ワイヤレス端末
５０１  プロセッサ
５０２  メモリ
５０３  トランスミッタ
５０４  インターフェース
６００  ウェアラブルデバイス
６０１  ワイヤレス端末
６０２  ベアラデバイス
７００  データ伝送システム
７０１  ワイヤレス端末
７０２  ベアラデバイス
７０３  特定の端末
【図１】
2016531479.tif 000003
【図２】
2016531479.tif 000004
【図３】
2016531479.tif 000005
【図４】
2016531479.tif 000006
【図５】
2016531479.tif 000007
【図６】
2016531479.tif 000008
【図７】
2016531479.tif 000009
【図８】
2016531479.tif 000010
【手続補正書】
【提出日】平成28年1月25日(2016.1.25)
【手続補正１】
【補正対象書類名】特許請求の範囲
【補正対象項目名】全文
【補正方法】変更
【補正の内容】
【特許請求の範囲】
【請求項１】
ワイヤレス接続スイッチング方法であって、
ワイヤレス端末がワイヤレス端末のベアラデバイスに接続されているかどうかを検出するステップと、
ワイヤレス端末が、前記ベアラデバイスと接続されていると判別されたならば、前記ワイヤレス端末と特定の端末との間のワイヤレスデータ接続を切断するステップと、
ワイヤレス端末が前記ベアラデバイスと切断されていると判別されたならば、前記ワイヤレス端末と前記特定の端末との間のワイヤレスデータ接続を確立するステップと、
を具備することを特徴とするワイヤレス接続スイッチング方法。
【請求項２】
ワイヤレス端末がベアラデバイスと接続されているかどうかを検出する前記ステップは、
ワイヤレス端末が前記ベアラデバイスと電気的に接続されているかどうかを検出するステップか、又は、
ワイヤレス端末が前記ベアラデバイスとワイヤレスで接続されているかどうかを検出するステップと、
を特に具備することを特徴とする請求項１に記載の方法。
【請求項３】
ワイヤレス端末がベアラデバイスと接続されているかどうかを検出するステップの前に、
前記ワイヤレス端末と前記ベアラデバイスを接続するステップと、前記ワイヤレス端末と前記特定の端末との間のワイヤレスデータ接続を確立するステップと、
をさらに具備することを特徴とする請求項１又は２に記載の方法。
【請求項４】
ワイヤレス端末であって、
プロセッサ、メモリ、送信器、及びインターフェースを具備し、
前記プロセッサは、データバスを通じて、前記メモリ、前記送信器、及び前記インターフェースと接続されており、
前記プロセッサは、前記メモリ内に格納されているオペレーション命令を呼び出すことにより以下のステップ：
前記プロセッサにより、前記インターフェースが前記ワイヤレス端末のベアラデバイスと接続されているかどうかを検出するステップと、
前記プロセッサが、前記インターフェースは、前記ベアラデバイスに接続されていると判別する場合には、特定の端末からワイヤレスデータ接続を切断するように前記送信器を制御するステップと、
前記プロセッサが、インターフェースは、前記ベアラデバイスから切断されていると判別する場合には、前記特定の端末と前記ワイヤレスデータ接続を確立するように前記送信器を制御するステップと、
を実行するように構成されていることを特徴とするワイヤレス端末。
【請求項５】
前記インターフェースは、物理インターフェース又はワイヤレスインターフェースであることを特徴とする請求項４に記載のワイヤレス端末。
【請求項６】
前記送信器は、ブルートゥース送信器又はＮＦＣ送信器であることを特徴とする請求項４又は５に記載のワイヤレス端末。
【請求項７】
ウェアラブルデバイスであって、請求項４から６のいずれか一項に記載のワイヤレス端末と、前記ワイヤレス端末に分離可能に接続されるベアラデバイスと、を具備することを特徴とするウェアラブルデバイス。
【請求項８】
データ送信システムであって、請求項４から６のいずれか一項に記載のワイヤレス端末と、前記ワイヤレス端末に分離可能に接続されているベアラデバイスと、前記ワイヤレス端末との間にワイヤレスデータ接続が確立される特定の端末と、を具備することを特徴とするデータ送信システム。
【国際調査報告】
2016531479.tif 000011
2016531479.tif 000012
2016531479.tif 000013
2016531479.tif 000014